(57)【特許請求の範囲】
【請求項１】
２以上のサブキャリヤーに直交周波数分割多重された多重化信号を発生するための直交周波数分割多重信号発生装置において、
伝送すべき第１のデーターを、周波数軸上の互いに直交した２以上のサブキャリヤーに対応して、予め定められた順序で配置させるためのデーター列変換手段と、
上記各サブキャリヤーのパワースペクトルを、上記第１のデーターと独立な、伝送すべき第２のデーターに応じて、予め定められたパワーの比率で変化させるためのパワー変換手段と、
上記パワー変換手段により予め定められたパワーの比率で変化された２以上のサブキャリヤーを合成して時間軸波形を生成するための離散フーリエ変換手段と、
上記離散フーリエ変換手段により発生された、互いに直交する実数軸信号および虚数軸信号を直交変調して合成するための直交変調手段とを有すること
を特徴とする直交周波数分割多重信号発生装置。
【請求項２】
請求項１に記載の直交周波数分割多重信号発生装置において、
上記パワー変換手段は、伝送すべき第２のデーターの伝送の最小単位をｓビットとするとき、２s個のレベルに対応させて、パワースペクトルを変化させること
を特徴とする直交周波数分割多重信号発生装置。
【請求項３】
請求項２に記載の直交周波数分割多重信号発生装置において、
上記パワー変換手段は、第２のデーターの伝送の最小単位をｓビットとしたとき、１つのサブキャリヤーまたは予め定められた２以上のサブキャリヤーを使ってｓビットを伝送するようにパワースペクトルを変化させること
を特徴とする直交周波数分割多重信号発生装置。
【請求項４】
請求項１から３のいずれか一項に記載の直交周波数分割多重信号発生装置において、
上記パワー変換手段は、上記２以上のサブキャリヤーのうち、予め定められたサブキャリヤーについてパワースペクトルを変化させること
を特徴とする直交周波数分割多重信号発生装置。
【請求項５】
請求項１から３のいずれか一項に記載の直交周波数分割多重信号発生装置において、
上記パワー変換手段は、予め定められた複数のＯＦＤＭシンボルの期間に、共通の第２のデーターに応じて、サブキャリヤーのパワースペクトルを変化させること
を特徴とする直交周波数分割多重信号発生装置。
【請求項６】
２以上のサブキャリヤーに直交周波数分割多重化された多重化信号を発生するための直交周波数分割多重信号発生装置において、
複数の変調方式で変調することができ、互いに独立な複数データーを変調方式毎に独立に変調する変調手段と、
上記２以上のサブキャリヤーを周波数領域における成分とする時間領域波形を生成するための離散フーリエ変換手段と、を有すること
を特徴とする直交周波数分割多重信号発生装置。
【請求項７】
２以上のサブキャリヤーに直交周波数分割多重化された多重化信号を発生するための直交周波数分割多重信号発生装置において、
複数の変調方式で変調することができ、互いに独立な複数のデーターを変調方式毎に独立に変調する変調手段と、
上記２以上のサブキャリヤーを周波数領域における成分とする時間領域波形を生成するための離散フーリエ変換手段と、を有し、
上記データーは、第１および第２のデーターを含み、
上記変調手段は、
上記第１のデーターに従って、サブキャリヤーの位相を変調するための位相変調手段と、
上記第２のデーターに従って、サブキャリヤーの振幅を変調するための振幅変調手段と、を備えること
を特徴とする直交周波数分割多重信号発生装置。
【請求項８】
２以上のサブキャリヤーに直交周波数分割多重化された多重化信号を発生するための直交周波数分割多重信号発生装置において、
複数の変調方式で変調することができ、互いに独立な複数のデーターを変調方式毎に独立に変調する変調手段を有し、
上記データーは、第１および第２のデーターを含み、
上記変調手段は、
上記第１のデーターに従って、サブキャリヤーの位相を変調するための位相変調手段と、
上記第２のデーターに従って、サブキャリヤーの振幅を変調するための振幅変調手段と、を備え、
上記振幅変調手段は、上記２以上のサブキャリヤーのうち、周波数中心から予め定められた範囲にあるサブキャリヤーについて変調すること
を特徴とする直交周波数分割多重信号発生装置。
【請求項９】
請求項６および７のいずれか一項に記載の直交周波数分割多重信号発生装置において、
上記振幅変調手段は、上記２以上のサブキャリヤーのうち、周波数中心から予め定められた範囲にあるサブキャリヤーについて変調すること
を特徴とする直交周波数分割多重信号発生装置。
【請求項１０】
請求項６から９のいずれか一項に記載の直交周波数分割多重信号発生装置において、
上記振幅変調手段は、多重化信号が発生される時間のうちの予め定められた時間範囲について変調することを特徴とする直交周波数分割多重信号発生装置。
【請求項１１】
請求項６から１０のいずれか一項に記載の直交周波数分割多重信号発生装置において、
上記振幅変調手段は、対となるサブキャリヤーに、互いに極性を反転して振幅変調を行うこと
を特徴とする直交周波数分割多重信号発生装置。
【請求項１２】
請求項６から１１のいずれか一項に記載の直交周波数分割多重信号発生装置において、
上記振幅変調手段は、サブキャリヤー相互に相対的に定められた振幅レベルに従って、各サブキャリヤーの振幅を変調すること
を特徴とする直交周波数分割多重信号発生装置。
【請求項１３】
直交周波数分割多重化信号を復調するための復調装置において、
上記多重化信号を直交検波して、互いに直交する第１の検波軸信号および第２の検波軸信号を得るための直交検波手段と、
上記２つの検波軸信号のそれぞれの時間軸波形を予め定められた標本化周波数でそれぞれ標本化し、かつ、これら標本化されたデーターを離散フーリエ変換して、周波数領域に分布する２以上のメトリックスを求めるための離散フーリエ変換手段と、
上記離散フーリエ変換手段により求められたメトリックスの分布のエンベロープから、上記第２の伝送データーを抽出する補助データー抽出手段と、
上記離散フーリエ変換手段により求められた各サブキャリヤーのシンボル毎の位相変化から主たる伝送データーを抽出するための主復調手段とを有すること
を特徴とする復調装置。
【請求項１４】
請求項１１に記載の復調装置において、
上記補助データー抽出手段により抽出した補助データーを、予め定められた複数のＯＦＤＭシンボル期間相互に平均するための平均手段をさらに備えること、
を特徴とする復調装置。
【請求項１５】
直交周波数分割多重化された多重化信号を用いて通信するための通信装置において、
入力される信号が示すデーターで、搬送波を直交周波数分割多重変調して多重化信号を送出するための送信部と、
受け付けた信号を直交周波数分割多重復調して変調データーを検出し、変調データーが示す信号を出力するための受信部とを有し、
上記送信部は、請求項１から１２のいずれか一項に記載の直交周波数分割多重信号発生装置を備えて構成され、
上記受信部は、請求項１３および１４のいずれか一項に記載の復調装置を備えて構成されることを特徴とする通信装置。
【請求項１６】
２以上のサブキャリヤーに直交周波数分割多重化された多重化信号を、コンピューターを用いて発生するための直交周波数分割多重信号発生プログラムが格納された記憶媒体において、
上記直交周波数分割多重信号発生プログラムは、コンピューターに実行されて、
与えられた第１のデーターを周波数軸上の互いに直交した２以上のサブキャリヤーに対応して、予め定められた順序で配置させ、
上記各サブキャリヤーのパワースペクトルを、上記第１のデーターと独立に与えられる第２の伝送データーに応じて、予め定められたパワーの比率で変化させ、
パワースペクトルを変化させた２以上のサブキャリヤーを離散フーリエ変換して時間軸波形を生成すること
を特徴とする直交周波数分割多重信号発生プログラムを格納した記憶媒体。
【請求項１７】
直交周波数分割多重化信号をコンピューターを用いて復調するための復調プログラムが格納された記憶媒体において、
上記復調プログラムは、コンピューターに実行されて、
直交検波された２つの検波軸信号を受け付け、当該２つの検波軸信号のそれぞれの時間軸波形を予め定められた標本化周波数でそれぞれ標本化し、
上記それぞれ標本化されたデーターを離散フーリエ変換して、各サブキャリヤーのシンボル毎の位相変化、および、周波数領域に分布する２以上のメトリックスを求め、
上記各サブキャリヤーのシンボル毎の位相変化から第１の伝送データーを抽出し、
上記２以上のメトリックスの分布のエンベロープから、第２の伝送データーを抽出すること
を特徴とする復調プログラムが格納された記憶媒体。
【発明の詳細な説明】
【０００１】
【発明の属する技術分野】
本発明は、直交周波数分割多重された多重化信号を発生するための直交周波数分割多重信号発生装置および方法、復調装置、通信装置、直交周波数分割多重信号発生プログラムが格納された記憶媒体および復調プログラムが格納された記憶媒体に係り、特に、直交周波数分割多重された多重化信号に、複数のデータを独立に変調して伝送することに好適な、直交周波数分割多重信号発生装置および方法、復調装置、通信装置、直交周波数分割多重信号発生プログラムが格納された記憶媒体および復調プログラムが格納された記憶媒体に関する。
【０００２】
【従来の技術】
ディジタル通信の変調方式として、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ；ＯＦＤＭ。以下、ＯＦＤＭという。）方式の実用化が進められている。
【０００３】
ＯＦＤＭが適用される方式として、例えば、ＥＵＲＥＫＡ−１４７  ＳＹＳＴＥＭが挙げられる。これは、一般に、ＤＡＢ（Ｄｉｇｉｔａｌ  Ａｕｄｉｏ  Ｂｒｏａｄｃａｓｔｉｎｇ）、ユーレカ１４７ＤＡＢシステムなどと呼ばれている。以下、ユーレカ１４７ＤＡＢシステムという。ユーレカ１４７ＤＡＢシステムは、１９９４年１１月にＩＴＵ−ＲでＳｙｓｔｅｍ−Ａとして認められ、国際規格になっている。この規格は、「ＥＴＳ  ３００４０１」として発行されている。
【０００４】
ユーレカ１４７ＤＡＢシステムでは、ＯＦＤＭの各サブキャリヤーは位相変調を施され、直前のＯＦＤＭシンボル期間の各サブキャリヤーとの位相差で、主たるデーターを伝送する、いわゆる差動ＱＰＳＫ方式を採用している。
【０００５】
上述のように、ユーレカ１４７ＤＡＢシステムでは、直前のＯＦＤＭシンボルの各サブキャリヤーとの位相差でデーターを伝送するため、受信装置における復調手段において、基準となる位相情報が必要となる。このため、周期的に各サブキャリヤーが予め定められた基準位相を持った位相基準シンボルが挿入されている。
【０００６】
また、受信時の復調動作において、各ＯＦＤＭシンボル期間を周波数軸上へ変換し、周波数軸上のサブキャリヤー成分を抽出するために、各ＯＦＤＭシンボル期間を特定する必要がある。このために、ユーレカ１４７ＤＡＢシステムでは、上述の位相基準シンボルの直前に、ヌルシンボルと呼ばれる粗同期用のシンボルが挿入されている。
【０００７】
ヌルシンボルは、主たるデーターを伝送するためのサブキャリヤーが存在しない”無の”信号である。通常、受信側では、受信信号のエンベロープの変化等からこのヌルシンボル期間を特定し、おおまかな各ＯＦＤＭシンボル期間を決定する。
【０００８】
また、オプションとして、このヌルシンボル期間に、送信所の識別のためのＴｒａｎｓｍｉｔｔｅｒ  Ｉｄｅｎｔｉｆｉｃａｔｉｏｎ  Ｉｎｆｏｒｍａｔｉｏｎ（以下、ＴＩＩと呼ぶ）と呼ばれる信号が重畳されている。ヌルシンボル期間に重畳されるＴＩＩ信号は、ＯＦＤＭシンボルのサブキャリヤーのうち、予め定められたいくつかのサブキャリヤーのみを伝送することで実行される。従って、実際には、ヌルシンボル期間は、無の信号ではなく、僅かに振幅を持った波形となる。ただし、他の位相基準シンボルや主たるデーターを伝送するＯＦＤＭシンボル期間の波形の振幅に対して、相対的に小さな振幅に抑えられている。
【０００９】
図２を参照して、ＴＩＩ信号が付加された場合の、ヌルシンボル期間における周波数軸上のサブキャリヤー配置について、モード２を例に挙げて説明する。モード２では、３８４本のサブキャリヤーによって情報が伝送される。
【００１０】
図２に示すように、ＴＩＩ信号は、送信所毎に決められた識別コードに従い、予め定められた周波数の隣接するサブキャリヤーのいくつかのペアで構成され、他のＯＦＤＭに比べて、サブキャリヤーが極めて少ないため、信号波形を観測した場合、ヌルシンボル期間に比較的小振幅の信号が重畳された波形となる。
【００１１】
【発明が解決しようとする課題】
しかしながら、上述したＴＩＩ信号をヌルシンボル期間に重畳させることは、受信装置におけるヌルシンボルの検出を困難にする可能性がある。例えば、受信状態の悪いところでは、ヌルシンボルとその他のＯＦＤＭシンボルとを判別することが困難となるためである。また、受信状態によっては、ＴＩＩ信号が示す送信所の判別も困難となることがある。
【００１２】
また、このような状況下でもＴＩＩ信号をより正確に識別するために、複数のヌルシンボル期間を周波数軸に変換した後に、記憶手段に記憶させ、これら複数のヌルシンボル期間におけるサブキャリヤーのパターンを平均化して、ＴＩＩ信号とする等の手段が考えられるが、この場合、複数のヌルシンボルを受信するまでＴＩＩ信号を確定できないため、送信所を特定するために多くの時間を要するという問題がある。
【００１３】
本発明者らの検討によれば、上述の状況は、ＴＩＩ信号の伝送に限らず、位相変調によって伝送されるデーターに加えて、さらにデーターを伝送しようとする場合にも同様の困難を生じうると考えられる。
【００１４】
本発明は、各サブキャリヤーの位相によって伝送される第１のデーターに加えて、第１のデーターとは独立な第２のデーターを、ヌルシンボル期間を用いずに伝送することに好適な、直交周波数分割多重信号発生装置および方法、復調装置、通信装置を提供することを目的とする。
【００１５】
【課題を解決するための手段】
上記目的を達成させるために、本発明の第１の様態によれば、
２以上のサブキャリヤーに直交周波数分割多重された多重化信号を発生するための直交周波数分割多重信号発生装置において、
伝送すべき第１のデーターを、周波数軸上の互いに直交した２以上のサブキャリヤーに対応して、予め定められた順序で配置させるためのデーター列変換手段と、
上記各サブキャリヤーのパワースペクトルを、上記第１のデーターと独立な、伝送すべき第２のデーターに応じて、予め定められたパワーの比率で変化させるためのパワー変換手段と、
上記パワー変換手段により予め定められたパワーの比率で変化された２以上のサブキャリヤーを合成して時間軸波形を生成するための離散フーリエ変換手段と、
上記離散フーリエ変換手段により発生された、互いに直交する実数軸信号および虚数軸信号を直交変調して合成するための直交変調手段とを有すること
を特徴とする直交周波数分割多重信号発生装置が提供される。
【００１６】
ここで、上記第２のデーターとして、ユーレカ１４７ＤＡＢシステムで定められるＴＩＩ信号を用い、ヌルシンボル期間には、ＴＩＩ信号を挿入することなく、上記パワー変換手段は、予め定められたヌルシンボル以外のＯＦＤＭシンボルにおいて、ＴＩＩ信号のサブキャリヤーが存在する周波数軸上の位置に対応したサブキャリヤーに対して、それ以外のサブキャリヤーよりもパワーを高くするように、パワースペクトルを変化させることによってＴＩＩ信号を伝送することができる。
【００１７】
また、上記第２のデーターとして、主たるデーターである番組内容に関連したデーターやその他のニュースや各種補助情報などを用い、上記パワー変換手段は、予め定められたヌルシンボル以外のＯＦＤＭシンボルにおいて、伝送すべき第２のデーターの伝送の最小単位をｓビットとしたとき、２ｓ個のレベルの変化に対応させて、上記第２のデーターを伝送する。
【００１８】
また、上記パワー変換手段は、第２の伝送データーの伝送の最小単位をｓビットとしたとき、１つのサブキャリヤーまたは予め定められた複数のサブキャリヤーを使ってｓビットを伝送するようにして働く。
【００１９】
また、上記パワー変換手段は、伝送すべき第２のデーター容量に応じてすべてのサブキャリヤーまたはその一部の期間に対して動作してもよい。
【００２０】
また、上記パワー変換手段は、予め予想される受信状態に応じて、受信状態が悪い環境下では、特定周期の期間のすべてのＯＦＤＭシンボルで同一の第２のデーターを伝送すべく働いてもよい。この場合、受信側では、上記の同一内容の第２のデーターが伝送される期間で平均化することが可能となり、ノイズやフェージングなどの影響を取り除いた状態で、第２のデーターを確定することが容易になる。
【００２１】
本発明の第２の態様によれば、
２以上のサブキャリヤーに直交周波数分割多重化された多重化信号を発生するための直交周波数分割多重信号発生装置において、
複数の変調方式で変調することができる変調手段を有し、
上記変調手段は、互いに独立な複数のデーターを変調方式毎に独立に変調すること
を特徴とする直交周波数分割多重信号発生装置が提供される。
【００２２】
本発明の第３の態様によれば、
２以上のサブキャリヤーに直交周波数分割多重化された多重化信号を発生するための直交周波数分割多重信号発生方法において、
互いに独立に与えられる複数のデーターを、複数の変調方式で、変調方式相互に独立して変調すること
を特徴とする直交周波数分割多重信号発生方法が提供される。
【００２３】
本発明の第４の態様によれば、
直交周波数分割多重化信号を復調するための復調装置において、
上記多重化信号を直交検波して、互いに直交する第１の検波軸信号および第２の検波軸信号を得るための直交検波手段と、
上記２つの検波軸信号のそれぞれの時間軸波形を予め定められた標本化周波数でそれぞれ標本化し、かつ、これら標本化されたデーターを離散フーリエ変換して、周波数領域に分布する２以上のメトリックスを求めるための離散フーリエ変換手段と、
上記離散フーリエ変換手段により求められたメトリックスの分布のエンベロープから、上記第２の伝送データーを抽出する補助データー抽出手段と、
上記離散フーリエ変換手段により求められた各サブキャリヤーのシンボル毎の位相変化から主たる伝送データーを抽出するための主復調手段とを有すること
を特徴とする復調装置が提供される。
【００２４】
また、複数のサブキャリヤーに直交周波数分割多重された多重化信号の、予め定められたヌルシンボル以外のＯＦＤＭシンボルのパワーに、ＴＩＩ信号に応じてパワースペクトルが変化させられている多重化信号を受信するための受信装置において、
上記多重化信号を直交検波して、互いに直交する第１の検波軸信号および第２の検波軸信号を得るための直交検波手段と、
上記２つの検波軸信号のそれぞれの時間軸波形を予め定められた標本化周波数でそれぞれ標本化し、かつ、これら標本化されたデーターを離散フーリエ変換して、周波数領域に分布する複数のメトリックスを求めるための離散フーリエ変換手段と、
上記離散フーリエ変換手段により求められた各サブキャリヤーのメトリックスから、主たるデーターを抽出する第１の復調手段と、
上記離散フーリエ変換手段により求められたメトリックスのパワースペクトル分布のエンベロープから第２のデーターを抽出する第２の復調手段と、
上記第２の復調手段から得られた結果のうち、予め定められたＴＩＩ信号が挿入されているＯＦＤＭシンボル期間の結果のみを抽出して、送信所を特定するための送信所特定手段とを有し、
上記第２の復調手段は、予め定められたＴＩＩ信号が挿入されているＯＦＤＭシンボル期間における上記離散フーリエ変換の結果から、パワースペクトルを計算し、エンベロープを抽出し、
上記送信所特定手段は、上記第２の復調手段によって検出されたパワースペクトルのエンベロープから、最も近いＴＩＩパターンを選択することにより、送信所を確定する復調装置が提供される。
【００２５】
この復調装置では、ヌルシンボルにＴＩＩ信号が挿入されていないため、ヌルシンボルの検出が容易になり、受信状態の悪い場合においても、同期を安定して引き込むことができる。
【００２６】
一方、上記のごとく、複数のサブキャリヤーに直交周波数分割多重された多重化信号の、予め定められたヌルシンボル以外のＯＦＤＭシンボルにおける、第２の伝送データーに応じてパワースペクトルが変化させられている多重化信号を受信する受信装置において、
上記多重化信号を直交検波して、互いに直交する第１の検波軸信号および第２の検波軸信号を得るための直交検波手段と、
上記２つの検波軸信号のそれぞれの時間軸波形を予め定められた標本化周波数でそれぞれ標本化し、かつ、これら標本化されたデーターを離散フーリエ変換して、周波数領域に分布する複数のメトリックスを求めるための離散フーリエ変換手段と、
上記離散フーリエ変換手段により求められた各サブキャリヤーのメトリックスから、主たるデーターを抽出する第１の復調手段と、
上記離散フーリエ変換手段により求められたメトリックスのパワースペクトル分布のエンベロープから第２のデーターを抽出する第２の復調手段とを備え、
上記第２の復調手段は、予め定められた期間のパワースペクトルのエンベロープを抽出し、パワー軸方向における最大値と最小値の間を予め定められたレベル数に分割し、第２のデーターの最小伝送単位に相当するサブキャリヤー数毎に、どのレベルの窓にあるかを判定しながら、そのレベルを確定させることにより、伝送されてきた第２のデーターを復調する復調装置としてもよい。
【００２７】
本発明の第４の態様によれば、
直交周波数分割多重化された多重化信号を用いて通信するための通信装置において、
入力される信号が示すデーターで、搬送波を直交周波数分割多重変調して多重化信号を送出するための送信部と、
受け付けた信号を直交周波数分割多重復調して変調データーを検出し、変調データーが示す信号を出力するための受信部とを有し、
上記送信部は、第１および第２のいずれかの態様における直交周波数分割多重信号発生装置を備えて構成され、
上記受信部は、第４の態様における復調装置を備えて構成されること
を特徴とする通信装置が提供される。
【００２８】
また、直交周波数分割多重化された多重化信号を用いて通信するための通信装置において、
入力される信号が示す主たるデーターで、搬送波を直交周波数分割多重変調して、第２のデーターで、ヌルシンボル以外の予め定められたＯＦＤＭシンボルの各サブキャリヤーのパワーを変化させた、多重化信号を送出するための送信部と、
受け付けた信号を直交周波数分割多重復調して主たる変調データーを検出し、変調データーが示す信号を出力するとともに、パワースペクトルのエンベロープから第２のデーターを検出し、このデーターが示す信号を出力するための受信部とを有し、
上記送信部は、第１および第２のいずれかの態様における直交周波数分割多重信号発生装置を備えて構成され、
上記受信部は、第４の態様における復調装置を備えて構成される通信装置であってもよい。
【００２９】
【発明の実施の形態】
以下、図面を参照して、本発明の実施の形態について説明する。
【００３０】
先ず、図１、図２、図３および図４を参照して、本発明の第１の実施の形態について説明する。
【００３１】
図１において、直交周波数分割多重信号発生装置１０００は、データー列変換部１１００と、パワー変換部１２００と、離散逆フーリエ変換部１３００と、直交変調部１４００とを有して構成される。
【００３２】
上記データー列変換部１１００は、伝送するデーターをシリアルにて入力した後、ＯＦＤＭのサブキャリヤーの数と等しい並列データー列へと変換する。例えば、欧州ＤＡＢのモード２では３８４データー列となる。また、通常、１つのサブキャリヤーは同相軸データーおよび直交軸データーで構成されるため、各サブキャリヤーには、２ビットのデーターを割り当てることができる。従って、３８４本のサブキャリヤーによるＯＦＤＭシンボルは７６８ビットのデーターを伝送することができる。また、通常、ヌルシンボルに重畳されるＴＩＩ信号は、送信所を識別するためのコードであり、コム番号とパターン番号の組み合わせによって、予め定められた法則に従い発生される。例えば、モード２におけるＴＩＩ信号は０〜２３のコム番号と、０〜６９のパターン番号によって決まり、コム番号＝４で、パターン番号＝１６の場合、図２に示すように、４対の隣接するサブキャリヤーペアとなる。
【００３３】
続いて、上記パワー変換部１２００では、ヌルシンボル以外の予め定められたＯＦＤＭシンボルにおいて、上記３８４組の同相軸および直交軸データーからなる複素データーのパワーを、割り当てられているＴＩＩ信号に応じて変化させる。例えば、上述のコム番号＝４で、パターン番号＝１６の例では、図２のサブキャリヤーが存在する周波数でパワー比率を１０％高くする。具体的には、図３に示すようなパワースペクトルになる。
【００３４】
上記のようにして各サブキャリヤーのパワー分布を変化させたＯＦＤＭ信号は、図４に示す復調装置にて復調することができる。
【００３５】
図４において、復調装置２０００は、直交検波部２１００と、離散フーリエ変換部２２００と、第１復調回路２３００と、第２復調回路２４００とを有して構成される。
【００３６】
上記直交検波部２１００は、ＯＦＤＭ信号を受け付け、再生キャリヤーを用いて、互いに直交する２つの検波軸信号を得るためのものである。２つの検波軸は、例えば、受け付けた信号と同相の同相軸（Ｉ相軸）、および、受け付けた信号に直交する直交軸（Ｑ相軸）に選ぶことができる。なお、２つの検波軸は、互いに直交する関係にあれば、これらの位相に限らない。例えば、受けた信号に対して、＋４５度の位相の検波軸、および、−４５度の位相の検波軸に選んでもよい。
【００３７】
直交検波部２１００は、例えば、受け付けた信号を２つに分配するための分配器２１５０と、９０度の位相差がある２つの再生キャリヤーＸ，Ｙを発振するための再生キャリヤー生成部２１９０と、上記分配された２つの信号に、上記再生キャリヤーＸおよびＹをそれぞれ乗算するための２つの乗算器２１３０，２１４０とを用いて構成することができる。
【００３８】
上記再生キャリヤー生成部２１９０は、例えば、発振周波数を変更可能な周波数可変発振器２１１０と、発振された信号を２つに分配するための分岐回路２１１５と、分配された信号の一方に９０度の位相遅延を与えるための移相器２１２０とを用いて構成することができる。このように構成された再生キャリヤー生成部２１９０を用いて、再生キャリヤーを生成することができる。
【００３９】
上記離散フーリエ変換部２２００は、ＯＦＤＭ信号に含まれるサブキャリヤー数より多い数のサンプリングポイントで、上記Ｉ相信号およびＱ相信号をそれぞれサンプリングし、これらを離散フーリエ変換するためのものである。上記離散フーリエ変換部２２００は、例えば、２つのＡ／Ｄ（Ａｎａｌｏｇ  ｔｏ  Ｄｉｇｉｔａｌ）変換器２２２０，２２４０と、離散フーリエ変換処理を実行するためのＤＦＴ（Ｄｉｓｃｒｅｔｅ  Ｆｏｕｒｉｅｒ  Ｔｒａｎｓｆｏｒｍ；離散フーリエ変換）回路２２６０とを有して構成される。ＤＦＴ回路２２６０において、離散フーリエ変換を実行するための計算のアルゴリズムとしては、例えば、ＤＦＴの定義式に従って計算を実行してもよいし、高速フーリエ変換（ＦＦＴ；Ｆａｓｔ  Ｆｏｕｒｉｅｒ  Ｔｒａｎｓｆｏｒｍ）などを用いてもよい。ＦＦＴを用いて計算することにより、ＤＦＴの計算を高速に行うことができる。ＤＦＴ回路２２６０は、例えば、専用のハードロジックで構成される。なお、ＤＦＴ処理を実行するためのプログラムを搭載した汎用の演算装置を用いて構成してもよい。
【００４０】
上記第１復調部２３００は、例えば、上記離散フーリエ変換部２２００において得られた周波数軸上における各サブキャリヤーのメトリックスを、変調時と同様な順序でシリアルなデーター列に変換するためのデーター列変換部を備える構成とすることができる。この構成により、各サブキャリヤーに分散されていたデーターを元の並び順で復調することが可能となる。
【００４１】
上記第２復調部２４００は、例えば、上記離散フーリエ変換部２２００において得られた周波数軸上における各サブキャリヤーのメトリックスのパワーを計算するためのパワー計算部２４２０と、パワー計算部２４２０の結果から得られる各サブキャリヤーのパワー値に対して、第２のデーターについて予め定められたサブキャリヤー数で示される最小の伝送単位毎に、予め定められたレベル値のどのレベルにあるかを判定するためのレベル判定部２４４０と、各伝送単位毎に判定されたレベルを元のシリアルなデーター列に変換するためのデーター列変換部２４８０とを有する構成される。これによって、各サブキャリヤーのパワーの変化として伝送されてきた第２のデーターを、元の並び順で復調することができる。
【００４２】
なお、第１の実施の形態において、パワー変化によるＴＩＩ信号をヌルシンボル以外の複数のＯＦＤＭシンボルに重畳してもよい。この場合、例えば、ヌルシンボルから次のヌルシンボルまでの間で、ヌルシンボル以外のＯＦＤＭシンボルすべてに、パワー変化によるＴＩＩ信号を重畳しておき、受信装置側では、この期間すべての各ＯＦＤＭシンボル毎にパワーを算出し、それらすべての平均をとることにより、ノイズやフェージング等の妨害の影響を除いた判定が可能となるため、より正確なＴＩＩ検出が高速に行うことができる。
【００４３】
次に、図１、図３および図５を参照して、本発明の第２の実施の形態について説明する。
【００４４】
本実施の形態における、直交周波数分割多重信号発生装置の構成要素は、上記第１の実施の形態における直交周波数分割多重信号発生装置と同様の構成要素とすることができる。例えば、図１示すように、データー列変換部１１００と、パワー変換部１２００と、離散逆フーリエ変換部１３００と、直交変調部１４００とを有して構成される。
【００４５】
入力データーがパワー変換部１２００に入力するまでは、上記第１の実施の形態と同様である。パワー変換部１２００では、第２の伝送データーによって、各サブキャリヤーのパワーを変化させるように働く。本実施の形態では、図５に示すように、第２のデーターの最小伝送単位を、ＯＦＤＭ信号の４本のサブキャリヤーに割り当てることとし、また、最小単位を１ビットとすれば、モード２では、３８４本のサブキャリヤーがあるので、１ＯＦＤＭシンボル期間で９６ビットの第２のデーターを伝送できる。図５では、例として、第２のデーター列を、“０１０１０１０１…”とした場合の各サブキャリヤーのパワー変換後の様子を示している。この例では、データー“１”に対して、データー“０”よりもパワー比率を１０％高くしている。
【００４６】
上記のようにして、第２のデーターに応じて、各サブキャリヤーのパワー分布を変化させたＯＦＤＭ信号は、図４に示す復調装置で復調することができる。
【００４７】
図４において、復調装置２０００は、直交検波部２１００と、離散フーリエ変換部２２００と、第１復調回路２３００と、第２復調回路２４００とを有して構成される。
【００４８】
上記直交検波部２１００に入力した受信信号が離散フーリエ変換部２２００にて、周波数軸上の各サブキャリヤーメトリックスに変換されるまでの過程は、前述の第１の実施の形態と同様である。
【００４９】
上記第１復調部２３００は、例えば、上記離散フーリエ変換部において得られた周波数軸上における各サブキャリヤーのメトリックスを、変調時の手順に対応する手順でシリアルなデーター列に変換するデーター列変換部により構成させることができ、各サブキャリヤーに分散させていたデーターを元の並び順で復調する。
【００５０】
上記第２復調部２４００は、例えば、上記離散フーリエ変換部２２００において得られた周波数軸上における各サブキャリヤーのメトリックスのパワーを計算するためのパワー計算部２４２０と、パワー計算部２４２０の結果から得られる各サブキャリヤーのパワー値に対して、第２のデーターについて予め定められたサブキャリヤー数で示される最小の伝送単位毎に、予め定められたレベル値のどのレベルにあるかを判定するためのレベル判定部２４４０と、各伝送単位毎に判定されたレベルを元のシリアルなデーター列に変換するためのデーター列変換部２４８０とを有して構成される。このように構成される第２復調部２４００により、各サブキャリヤーのパワーの変化として伝送されてきた第２のデーターは、元の並び順で復調される。
【００５１】
パワー計算部２４２０では、上記離散フーリエ変換部２２００で得られた各サブキャリヤーのメトリックスから、パワー値Ｐを算出する。離散フーリエ変換の結果得られるメトリックス分布が、例えば、モード２では、３８４個の有効メトリックスが連続して並び、虚数単位をｊ、メトリックスが得られる周波数スロットを示すサフィックスをｉとすると、各メトリックスＺｉは、（ａｉ＋ｊｂｉ）と表される。
【００５２】
上記パワーＰは、例えば、Ｚの複素共役をＺ＊として、
0003566851.tif 000002
と定義することができる。すなわち、メトリックスＺが、
Ｚ＝（ａ＋ｊｂ）
であるとき、このメトリックスのパワーは、
0003566851.tif 000003
と与えられる。
【００５３】
上記レベル判定部２４４０では、例えば、各サブキャリヤーのパワー値Ｐｉを、第２のデーターの最小伝送単位である４キャリヤー毎に、平均化し、予め定められたしきい値レベルと比較し、その大小を持って、データー値“１”と“０”とを判定する。
【００５４】
平均化方法は、例えば、任意の最小データー期間の各サブキャリヤーのパワーをＰｉ，Ｐｉ＋１，Ｐｉ＋２，Ｐｉ＋３とすれば、
ＭＰｉ＝［（Ｐｉ）＋（Ｐｉ＋１）＋（Ｐｉ＋２）＋（Ｐｉ＋３）］／４                      …（１０３）
で与えられる。
【００５５】
上記データー列変換部２４８０では、上記レベル判定部２４４０で得られた、各第２のデーター値を、送信された元の順序に変換して出力する。
【００５６】
なお、第２の実施の形態においても、第１の実施の形態と同様に、同一の第２の伝送データーを複数のＯＦＤＭシンボルに重畳してもよい。この場合も、前述と同様、同一の第２のデーターが重畳されている期間で平均処理することにより、ノイズやフェージング等の妨害の影響を除いた判定が可能となるため、より正確な第２のデーター復調が可能である。
【００５７】
次に、図１、図４、図６および図７を参照して、本発明の第３の実施の形態について説明する。ここでは、第２の伝送データーの最小単位を４ビットとした場合を例にとって説明する。
【００５８】
本実施の形態における直交周波数分割多重信号発生装置は、上記第１の実施の形態における直交周波数分割多重信号発生装置と同様の構成要素を有する構成とすることができ、例えば、図１に示すように、データー列変換部１１００と、パワー変換部１２００と、離散逆フーリエ変換部１３００と、直交変調部１４００とを有して構成される。
【００５９】
入力データーがパワー変換部１２００に入力するまでは、上記第１の実施の形態と同様である。パワー変換部１２００では、第２の伝送データーによって、各サブキャリヤーのパワーを変化させるように働く。本実施の形態では、図６に示すように、第２のデーターの最小伝送単位を、ＯＦＤＭ信号の４本のサブキャリヤーに割り当てることとし、また、最小単位を４ビットすなわち、１６レベル（２４＝１６）とすれば、モード２では、３８４本のサブキャリヤーがあるので、１ＯＦＤＭシンボル期間で３８４ビットの第２のデーターを伝送できる。図６では、例として、第２のデーター列を、“０１２３４５６７８９ＡＢＣＤＥＦ０１２３４５…０Ｆ”とした場合の各サブキャリヤーのパワー変換後の様子を示している。ここで、後述する第２のデーター復調部２４００（図４参照）におけるレベル判定部２４４０（図４参照）のレベル基準キャリヤーとして、レベルの最小値および最大値を一部のキャリヤーに割り当てるようにすれば、第２のデーターの復調がより正確に行える。ただし、伝送可能なデーター量は、３８２ビットとなる。本実施の形態では、図６に示すように、最後の８本のキャリヤーの前４本と後４本とにそれぞれ第２のデーターの“０”と“Ｆ”とに相当するパワーでキャリヤーを生成するようにパワー変換部２４２０が働くようにする。また各第２のデーター値に対するキャリヤーレベルは、例えば、データー“０”のパワーを１００％とした場合、データー“１”に対して、データー“０”よりもパワー比率を５％高く、データー“２”に対して、データー“１”よりもパワー比率を５％高く、というように第２のデーターの値の各レベル毎に５％のパワー変化をとるようにして構成することができる。
【００６０】
上記のようにして、第２のデーターに応じて、各サブキャリヤーのパワー分布を変化させたＯＦＤＭ信号は、図４に示す復調装置にて復調される。
【００６１】
図４において、復調装置２０００は、直交検波部２１００と、離散フーリエ変換部２２００と、第１復調回路２３００と、第２復調回路２４００とを有して構成される。
【００６２】
上記直交検波部２１００に入力した受信信号が離散フーリエ変換部２２００にて、周波数軸上の各サブキャリヤーメトリックスに変換されるまでの過程は、上述の第１の実施の形態と同様である。
【００６３】
上記第１復調部２３００は、例えば、上記離散フーリエ変換部２２００において得られた周波数軸上における各サブキャリヤーのメトリックスを、変調時と同様な順序でシリアルなデーター列に変換するデーター列変換部を備える構成とすることができ、各サブキャリヤーに分散されていたデーターは、元の並び順で復調される。
【００６４】
上記第２復調部２４００は、各サブキャリヤーのパワーの変化として伝送されてきた第２のデーターを、元の並び順で復調するためのものである。第２復調部２４００は、例えば、上記離散フーリエ変換部において得られた周波数軸上における各サブキャリヤーのメトリックスのパワーを計算するためのパワー計算部２４２０と、パワー計算部２４２０の結果から得られる各サブキャリヤーのパワー値に対して、第２のデーターについて予め定められたサブキャリヤー数で示される最小の伝送単位毎に、予め定められたレベル値のどのレベルにあるかを判定するためのレベル判定部２４４０と、各伝送単位毎に判定されたレベルを元のシリアルなデーター列に変換するためのデーター列変換部２４８０とを有して構成される。
【００６５】
パワー計算部２４２０では、上記離散フーリエ変換部２２００で得られた各サブキャリヤーのメトリックスから、パワー値Ｐを算出する。パワー値の算出は、前述の第２の実施の形態と同様の算出方法を用いて実行することができる。
【００６６】
レベル判定部２４４０では、上述のように各ＯＦＤＭシンボルの最後の８本のキャリヤーのうち、前４本で第２のデーターの最低レベル“０”のキャリヤーパワーと、後４本で第２のデーターの最高レベル“Ｆ”のキャリヤーパワーとを確認できるため、この間を１５等分して最小レベル差を求めた後に各レベルの判定用のしきい値を設定して、各キャリヤーのレベルを判定する。すなわち、最小レベル差Ｐｄは、
Ｐｄ＝［（最高レベル“Ｆ”のキャリヤーパワー）−（最低レベル“０”のキャリヤーパワー）］／１５
で求まり、従って各しきい値は、最低レベル“０”のキャリヤーパワーにＰｄを順次加えていくことにより求まる。
【００６７】
レベル“１”に対する下側のしきい値＝（最低レベルのキャリヤーパワー）＋Ｐｄ
レベル“２”に対する下側のしきい値＝（レベル“１”に対する下側のしきい値）＋Ｐｄ
レベル“３”に対する下側のしきい値＝（レベル“２”に対する下側のしきい値）＋Ｐｄ
レベル“Ｆ”に対する下側のしきい値＝（レベル“Ｅ”に対する下側のしきい値）＋Ｐｄ
すなわち、レベル判定部２４４０は、例えば、図７に示すような回路構成によって実現することができる。図７において、レベル判定部２４４０は、１６のコンパレーター２４４１〜２４５６と、デコードロジック２４６０とを有して構成される。このレベル判定部２４４０では、上述のようにして求められたしきい値を元に、各キャリヤーのパワーを比較していき、そのパワーに一致した第２のデーターのレベル“０”〜“Ｆ”を決定することができる。また、各第２のデーターを伝送する４本のキャリヤーを平均することによって、ノイズや妨害の影響を低減することができることについては、前述の第２の実施に形態でも述べたとおりである。
【００６８】
上記データー列変換部２４８０では、上記レベル判定部２４４０で得られた、各第２のデーター値を、送信された元の順序に変換して出力する。
【００６９】
なお、第３の実施の形態において、レベル基準キャリヤーは、ＯＦＤＭシンボル毎に挿入したが、レベル基準キャリヤーの挿入の態様はこれに限らず、例えば、１フレーム期間等の複数のＯＦＤＭシンボル期間に１度挿入するようにしてもよい。また、挿入場所は特に制限されないものであり、予め定められた位置に挿入するものである。また、第２の実施の形態では最後の８本の各４本づつのキャリヤーが最低レベルのキャリヤーパワーと最高レベルのキャリヤーになるよう挿入したが、例えば、一カ所に集めずに各４本を離して挿入してもよい。
【００７０】
次に、図１、図４、図７および図８を参照して、本発明の第４の実施の形態について説明する。本実施の形態は、第２の伝送データーの最小単位を４ビットとした例であり、ＯＦＤＭシンボル上に第２のデーターを繰り返して重畳する場合について説明する。
【００７１】
本実施の形態における直交周波数分割多重信号発生装置は、上記第１の実施の形態と同様の構成要素を有する構成とすることができる。すなわち、図１に示すように、データー列変換部１１００と、パワー変換部１２００と、離散逆フーリエ変換部１３００と、直交変調部１４００とを有して構成される。
【００７２】
入力データーがパワー変換部１２００に入力するまでは、上記第１の実施の形態と同様である。本実施の形態におけるパワー変換部１２００は、第２の伝送データーによって、各サブキャリヤーのパワーを変化させるように動作する。本実施の形態では、図８に示すように、第２のデーターの最小伝送単位を、ＯＦＤＭの４本のサブキャリヤーに割り当て、最小単位を４ビットとし、ＯＦＤＭシンボルの中心となる周波数に関して対称に、これを境に高周波数側と低周波数側と第２の伝送データーを重畳するようにし、中心周波数を挟んで第２の伝送データーを伝送する各キャリヤーの極性が反転するようにする。すなわち、低周波数側では各キャリヤーを第２のデーターのレベル値に比例して変化させ、高周波数側では各キャリヤーを第２のデーターのレベル値に反比例して変化させるようにする。このようにして変化させられたＯＦＤＭの平均パワーは一定に保つことが可能である。また、低周波数側での各第２のデーター値に対するキャリヤーレベルは、例えば、データー“８”のパワーを１００％とした場合、データー“７”に対して、データー“８”よりもパワー比率を５％低く、データー“９”に対して、データー“８”よりもパワー比率を５％高く、というように第２のデーターの値の各レベル毎に５％のパワー変化をとるようにして構成し、高周波数側では各第２のデーター値に対するキャリヤーレベルは、データー“７”に対して、データー“８”よりもパワー比率を５％高く、データー“９”に対して、データー“８”よりもパワー比率を５％低く、というように第２のデーターの値の各レベル毎に５％のパワー変化をとるようにして構成することができる。また、前述の第３の実施の形態と同様に、レベル基準キャリヤーを図８に示すように挿入する。すなわち、中心周波数の前後４本に最低レベルに対応するパワーを持つキャリヤーと、さらにその前後４本に最高レベルに対応するパワーを持つキャリヤーとを挿入し、第２の伝送データーの復調時のレベル判定に用いることができる。従って、モード２では、３８４本のサブキャリヤーがあるので、１つのＯＦＤＭシンボル期間で３８２ビットの第２のデーターを伝送できる。図８では、例として、第２のデーター列を、“０１２３４５６７８９ＡＢＣＤＥＦ０１２３４５…ＣＤＥ”とした場合の各サブキャリヤーのパワー変換後の様子を示している。すなわち、図８の最低周波数から中心周波数に向けて、中心周波数の手前４キャリヤーを除くキャリヤーまでに、第２のデーターを重畳している。さらに中心周波数に関して対称となるように、それより高い周波数側にも第２のデーターに反比例したパワーで同様に第２の伝送データーを重畳する。
【００７３】
上述のようにして、第２のデーターに応じて、各サブキャリヤーのパワー分布を変化させたＯＦＤＭ信号は、図４に示す復調装置にて復調することができる。
【００７４】
図４において、復調装置２０００は、直交検波部２１００と、離散フーリエ変換部２２００と、第１復調回路２３００と、第２復調回路２４００とを有して構成される。
【００７５】
上記直交検波部２１００に入力した受信信号が離散フーリエ変換部２２００にて、周波数軸上の各サブキャリヤーメトリックスに変換されるまでの過程は、前述の第１の実施の形態と同様である。
【００７６】
上記第１復調部２３００は、例えば、上記離散フーリエ変換部２２００において得られた周波数軸上における各サブキャリヤーのメトリックスを、変調時と同様な順序でシリアルなデーター列に変換するデーター列変換部により構成させることができ、各サブキャリヤーに分散させていたデーターを元の並び順で復調する。
【００７７】
上記第２復調部２４００は、例えば、上記離散フーリエ変換部２２００において得られた周波数軸上における各サブキャリヤーのメトリックスのパワーを計算するためのパワー計算部２４２０と、パワー計算部２４２０の結果から得られる各サブキャリヤーのパワー値に対して、第２のデーターについて予め定められたサブキャリヤー数で示される最小の伝送単位毎に、予め定められたレベル値のどのレベルにあるかを判定するためのレベル判定部２４４０と、各伝送単位毎に判定されたレベルを元のシリアルなデーター列に変換するためのデーター列変換部２４８０とを有する構成とすることができ、各サブキャリヤーのパワーの変化として伝送されてきた第２のデーターを、元の並び順で復調する。
【００７８】
パワー計算部２４２０では、上記離散フーリエ変換部で得られた各サブキャリヤーのメトリックスから、パワー値Ｐを算出する。パワー値Ｐの算出は、前述の第２の実施の形態と同様の算出方法を適用することができる。
【００７９】
レベル判定部２４４０では、上述のように各ＯＦＤＭシンボルの中心前後に挿入された８本のレベル基準キャリヤーにより、第３の実施の形態と同様にして、各レベルの判定用のしきい値を計算して、図７に示した回路構成を用いて各キャリヤーのパワーを比較していき、そのパワーに一致した第２のデーターのレベル“０”〜“Ｆ”を決定することができる。
【００８０】
またレベル判定の前に、中心周波数を挟んで低周波数側と高周波数側とに重畳された、各第２のデーターを伝送する４本のキャリヤーを平均し、レベル判定した後、さらに低周波数側と高周波数側の判定結果を平均することによって、ノイズや妨害の影響を低減することができる。
【００８１】
上記データー列変換部２４８０では、上記レベル判定部２４４０で得られた、各第２のデーター値を、送信された元の順序に変換して出力する。
【００８２】
なお、第４の実施の形態において、ＯＦＤＭシンボル毎に第２の伝送データーを２重に重畳したが、それ以上に繰り返して伝送することもできる。例えば全キャリヤーを４分割してそれぞれに予め定められた極性で、第２の伝送データーを４重に重畳してもよい。このとき受信側において同一のデーターを示す各キャリヤーのレベル判定を行った後に多数決によってそのレベルを決定してもよい。
【００８３】
第１から第４の実施の形態に述べた第２の伝送データーは、各ＯＦＤＭシンボル毎に異なったデーターとしても、また同一のデーターとしてもよい。同一の場合は、それらを平均化することにより、高精度なデーター伝送が可能となる。さらに重畳の方法はすべて同一としても、またＯＦＤＭシンボル毎に変えてあってもよい。
【００８４】
なお、上述の説明では、直交周波数分割多重信号発生装置におけるデータ列変換、パワー変換、および、逆離散フーリエ変換を実行する機能をハードロジックで実行する場合を中心に説明したが、これらの機能をコンピューターを用いて実現してもよい。すなわち、汎用のコンピューターに、記憶媒体に格納されている直交周波数分割多重信号発生プログラムをロードさせて実行させてもよいし、ＤＳＰ（Ｄｉｇｉｔａｌ  Ｓｉｇｎａｌ  ｐｒｏｃｅｓｓｏｒ）にメモリ（例えば、ＲＯＭチップなど）に予め格納した直交周波数分割多重信号発生プログラムをロードして実行させてもよい。
【００８５】
このような、直交周波数分割多重信号発生プログラムとしては、例えば、与えられた第１のデーターを周波数軸上の互いに直交した２以上のサブキャリヤーに対応して、予め定められた順序で配置させ、上記各サブキャリヤーのパワースペクトルを、上記第１のデーターと独立に与えられる第２の伝送データーに応じて、予め定められたパワーの比率で変化させ、パワースペクトルを変化させた２以上のサブキャリヤーを離散フーリエ変換して時間軸波形を生成することをコンピューターに実行させるための手順が記述された直交周波数分割多重信号発生プログラムを用いることができる。
【００８６】
また、同様に上述した、復調装置における離散フーリエ変換、ならびに、第１および第２復調の機能を、復調プログラムをコンピューターにロードさせて実現してもよい。このためには、例えば、直交検波された２つの検波軸信号を受け付け、当該２つの検波軸信号のそれぞれの時間軸波形を予め定められた標本化周波数でそれぞれ標本化し、上記それぞれ標本化されたデーターを離散フーリエ変換して、各サブキャリヤーのシンボル毎の位相変化、および、周波数領域に分布する２以上のメトリックスを求め、上記各サブキャリヤーのシンボル毎の位相変化から第１の伝送データーを抽出し、上記２以上のメトリックスの分布のエンベロープから、第２の伝送データーを抽出することをコンピューターに実行させるための手順が記述された復調プログラムを用いることができる。
【００８７】
上記直交周波数分割多重信号発生プログラム、復調プログラムの供給は、例えば、直交周波数分割多重信号発生装置、復調装置に固定的に設けられるメモリに予め格納してもよいし、直交周波数分割多重信号発生装置、復調装置に着脱可能な可搬性を有する記憶媒体に予め格納し、これをコンピューターが読みとり可能に装着して供給してもよい。
【００８８】
【発明の効果】
本発明によれば、直交周波数分割多重された多重化信号に、複数のデーターを独立に変調して伝送することが可能となる。
【００８９】
例えば、ＯＦＤＭ信号において位相変調により伝送される第１のデーターに加えて、第１のデーターと独立な第２のデーターを伝送することができる。
【００９０】
そして、第２のデーターとしてＴＩＩ信号を用いた場合、複数のＯＦＤＭシンボルに重畳させることができ、ＴＩＩ信号の検出を高速かつ確実とすることができる。さらに、ヌルシンボルにＴＩＩ信号を重畳しないのでヌルシンボルの検出を容易にすることができる。
【００９１】
本発明によれば、ＱＰＳＫを用いたＯＦＤＭ方式で伝送されている第１のデーターに加えて、さらに、振幅変調を用いて、第１のデーターと独立な第２の伝送データを伝送することができる。そして、このような変調が行われた信号からは、従来の復調装置を用いる場合であっても、ＱＰＳＫで伝送される第１のデータを復調することが可能である。
【００９２】
また、ＱＡＭ変調のためのＤ／Ａコンバータなどを用いることなく、位相および振幅が変調されたＯＦＤＭ信号を発生することができる。
【００９３】
本発明によれば、ＱＰＳＫ変調されたＯＦＤＭ信号のスペクトラム上で、一部の期間を選択して、第２のデータを重畳させることができる。
【００９４】
本発明において、各サブキャリヤーの振幅レベルとして重畳した第２のデータを復調する際に、予め付加された基準レベルを用いて復調することができる。従って、第２のデータの復調の精度を向上することが可能となる。
【００９５】
さらに、本発明において、サブキャリヤーの対での振幅変調の極性を互いに逆にすることにより、ＯＦＤＭ信号のトータルパワーを一定に保つことが可能となる。
【図面の簡単な説明】
【図１】本発明を適用した直交周波数分割多重信号発生装置を示すブロック図である。
【図２】ＴＩＩ信号の周波数軸上での配置例を説明するためのスペクトル図である。
【図３】本発明を適用したＯＦＤＭ信号のメトリックスのパワー分布を模式的に示すスペクトル図である。
【図４】本発明を適用した、復調装置を示すブロック図である。
【図５】本発明を適用した第２の伝送データーが重畳されたＯＦＤＭ信号のメトリックスのパワー分布を模式的に示す説明図である。
【図６】本発明を適用した第２の伝送データーが重畳されたＯＦＤＭ信号のメトリックスのパワー分布を模式的に示す説明図である。
【図７】本発明を適用したレベル判定部の回路構成例を示すブロック図である。
【図８】本発明を適用した第２の伝送データーが重畳されたＯＦＤＭ信号のメトリックスのパワー分布を模式的に示す説明図である。
【符号の説明】
１０００…直交周波数分割多重信号発生装置、１１００…データー列変換部、１２００…パワー変換部、１３００…逆離散フーリエ変換部、１３２０…ＩＤＦＴ（逆離散フーリエ変換）回路、１３４０，１３６０…Ｄ／Ａ（ディジタル−アナログ）変換部、１４００…直交変調部、１４１０…局部発振器、１４２０…移相器、１４３０，１４４０…乗算器、１４５０…合成器、１４６０…分配器、２０００…復調装置、２１００…直交検波部、２１１０…周波数可変発振器、２１１５…分岐回路、２１２０…移相器、２１３０，２１４０…乗算器、２１５０…分配器、２１９０…再生キャリヤー生成部、２２００…離散フーリエ変換部、２２２０，２２４０…Ａ／Ｄ（アナログ−ディジタル）変換部、２２６０…ＤＦＴ（離散フーリエ変換）回路、２３００…第１復調回路、２４００…第２復調回路、２４２０…パワー計算部、２４４０…レベル判定部、２４４１〜２４５６…コンパレーター、２４６０…デコードロジック、２４８０…データー列変換部。
【図１】
0003566851.tif 000004
【図２】
0003566851.tif 000005
【図３】
0003566851.tif 000006
【図４】
0003566851.tif 000007
【図５】
0003566851.tif 000008
【図６】
0003566851.tif 000009
【図７】
0003566851.tif 000010
【図８】
0003566851.tif 000011